(57)【要約】  【課題】霧化装置を利用してミストを噴霧させる冷蔵庫において、超音波振動素子で水を霧化するため、霧化した水粒子が微細とならず、均一噴霧することができず、野菜等が水腐れや、庫内が結露するという課題を有していた。  【解決手段】断熱区画された貯蔵室と、貯蔵室内にミストを噴霧させる霧化部１３９を備えた霧化装置と、霧化部１３９を収納する外郭ケース１３７に噴霧口１３２とは別個に冷気供給口である湿度供給口１３８を設けて空気の出入り口を形成することで、外郭ケース１３７内に水分が溜まることなく、流れる冷気と共に循環させることが可能となることで、水垢の発生および水分を介した漏電等が起こりにくいようにすることによって、冷蔵庫の使い勝手を向上させ、高品質の冷蔵庫を提供することができる。【選択図】図３
2008292128.tif 000002
【特許請求の範囲】
【請求項１】
断熱区画された貯蔵室と、前記貯蔵室内にミストを噴霧させる霧化装置と、前記霧化装置に備えられたミスト噴霧を行う霧化先端部を有する霧化部と、前記霧化先端部を収納する外郭ケースとを有し、前記外郭ケースには、ミストが通過する噴霧口と、前記噴霧口とは別個に冷気供給口を設けた冷蔵庫。
【請求項２】
外郭ケースに設けられた冷気供給口は、前記外郭ケースに収納されている霧化先端部より下方に位置する請求項１に記載の冷蔵庫。
【請求項３】
外郭ケースの下面部分に開口部が設けられている請求項１または２に記載の冷蔵庫。
【請求項４】
霧化部は、貯蔵室内の空気中の水分を結露させた結露水を用いてミスト噴霧を行う請求項１から３のいずれか一項に記載の冷蔵庫。
【発明の詳細な説明】
【技術分野】
【０００１】
本発明は野菜などを収納する貯蔵室空間に霧化装置を設置した冷蔵庫に関するものである。
【背景技術】
【０００２】
野菜の鮮度低下に対する影響因子としては、温度、湿度、環境ガス、微生物、光などが挙げられる。野菜は生き物であり、野菜表面では呼吸と蒸散作用が行われ、鮮度を維持するには呼吸と蒸散作用の抑制が必要となる。低温障害をおこす一部の野菜を除き、多くの野菜は低温で呼吸が抑制され、高湿により蒸散防止できる。近年、家庭用冷蔵庫では野菜の保存を目的とし、密閉された野菜専用容器が設けられ、野菜を適正な温度に冷却するとともに、庫内を高湿化するなど野菜の蒸散を抑制するよう制御している。ここで、庫内の高湿化手段として、ミストを噴霧するものがある。
【０００３】
従来、この種のミスト噴霧機能を備えた冷蔵庫は、野菜室内が低湿時に超音波霧化装置にてミストを生成噴霧、野菜室内を加湿、野菜の蒸散を抑制しているものである（例えば、特許文献１参照）。
【０００４】
図６は特許文献１に記載された従来の超音波霧化装置を設けた冷蔵庫を示すものである。また、図７は超音波霧化装置の要部を示す拡大斜視図である。
【０００５】
図６に示すように、野菜室２１は冷蔵庫本体２０の本体ケース２６の下部に設けられ、その前面開口は開閉自在に引き出される引出し扉２２により閉止されるようになっている。また、野菜室２１は仕切板２によりその上方の冷蔵室（図示せず）と仕切られている。
【０００６】
引出し扉２２の内面に固定ハンガ２３が固定され、この固定ハンガ２３に野菜等の食品を収納する野菜容器１が搭載されている。野菜容器１の上面開口は蓋体３により封止されるようになっている。野菜容器１の内部には解凍室４が設けられ、解凍室４には超音波霧化装置５が備えられている。
【０００７】
また、図７に示すように、超音波霧化装置５には霧吹出し口６と貯水容器７と湿度センサ８とホース受け９が備えられている。貯水容器７は、ホース受け９により除霜水ホース１０に接続されている。除霜水ホース１０には、その一部に除霜水を清浄するための浄化フィルター１１が備えられている。
【０００８】
以上のように構成された冷蔵庫において、以下その動作について説明する。
【０００９】
熱交換冷却器（図示せず）より冷却された冷却空気は野菜容器１及び蓋体３の外面を流通することで、野菜容器１が冷却され、内部に収納された食品が冷やされる。また、冷蔵庫運転時に冷却器から発生する除霜水は除霜水ホース１０を通過する時に浄化フィルター１１によって浄化されて、超音波霧化装置５の貯水容器７に供給される。
【００１０】
次に湿度センサ８によって、庫内湿度が９０％以下と検知されると、超音波霧化装置５が加湿を開始し、野菜容器１内の野菜等を新鮮に保持するための適度な湿度に調湿することができる。
【００１１】
一方、湿度センサ８によって庫内湿度が９０％以上であると検知された場合、超音波霧化装置５は過度な加湿を停止する。その結果、超音波霧化装置５により、野菜室内をすばやく加湿することができ、野菜室内は常に高湿度となり、野菜等の蒸散作用が抑制され、野菜等の鮮度を保持することができる。
【特許文献１】特開平６−２５７９３３号公報
【発明の開示】
【発明が解決しようとする課題】
【００１２】
しかしながら、上記従来の構成では、霧化装置周辺はミストを噴霧する為に高湿となりやすく、特にミストの噴出し口周辺においては、水垢の発生や菌・カビの繁殖、および水分を介した漏電等も起こりやすい環境となるという課題を有していた。
【００１３】
本発明は、霧化装置周辺がミストを噴霧する為に高湿となりやすく、特にミストの噴き出し口周辺においては、水垢の発生および水分を介した漏電等が起こりにくいようにすることによって、微細ミストを生成、噴霧し保鮮性を向上させる場合でも、菌、カビの繁殖防止した冷蔵庫を提供することを目的とする。
【００１４】
また、使用者の安全性を確保しながら微細ミストを噴霧することを目的とする。
【課題を解決するための手段】
【００１５】
上記従来の課題を解決するために、断熱区画された貯蔵室と、前記貯蔵室内にミストを噴霧させる霧化装置と、前記霧化装置に備えられたミスト噴霧を行う霧化先端部を有する霧化部と、前記霧化先端部を収納する外郭ケースとを有し、前記外郭ケースには、ミストが通過する噴霧口と、前記噴霧口とは別個に冷気供給口を設けたものである。
【００１６】
これによって、霧化装置周辺がミストを噴霧する為に高湿となりやすく、特にミストの噴き出し口周辺である外郭ケース内においては、水垢の発生や菌・カビの繁殖、および水分を介した漏電等も起こりやすい環境となる場合であっても、外郭ケースに噴霧口とは別の冷気供給口を備えることで、空気の出入り口が形成され、外郭ケース内に積極的に空気の流れを発生させることができ、外郭ケース内に水分が溜まることなく、流れる冷気と共に循環させることが可能となることで、水垢の発生および水分を介した漏電等が起こりにくいようにすることによって、微細ミストを生成、噴霧し保鮮性を向上させる場合でも、菌、カビの繁殖防止した冷蔵庫を提供する。
【００１７】
また、貯蔵室内に電圧を印加する霧化装置を備えても、外郭ケースによって使用者の手が霧化先端部や電圧印加部へ触れることを防止するので、使用者の安全性を確保しながら微細ミストを噴霧することができる。
【発明の効果】
【００１８】
本発明の冷蔵庫は、使用者の安全性を確保した上で、野菜等の青果物の表面に均一に微細ミストを付着させて保鮮性を高めた上で、水垢の発生および水分を介した漏電等が起こりにくいようにすることができるので、冷蔵庫の使い勝手を向上させ、高品質の冷蔵庫を提供することができる。
【発明を実施するための最良の形態】
【００１９】
請求項１に記載の発明は、断熱区画された貯蔵室と、前記貯蔵室内にミストを噴霧させる霧化装置と、前記霧化装置に備えられたミスト噴霧を行う霧化先端部を有する霧化部と、前記霧化先端部を収納する外郭ケースとを有し、前記外郭ケースには、ミストが通過する噴霧口と、前記噴霧口とは別個に冷気供給口を設けたものである。
【００２０】
これによって、霧化装置周辺がミストを噴霧する為に高湿となりやすく、特にミストの噴き出し口周辺である外郭ケース内においては、水垢の発生や菌・カビの繁殖、および水分を介した漏電等も起こりやすい環境となる場合であっても、外郭ケースに噴霧口とは別の冷気供給口を備えることで、空気の出入り口が形成され、外郭ケース内に積極的に空気の流れを発生させることができ、外郭ケース内に水分が溜まることなく、流れる冷気と共に循環させることが可能となることで、水垢の発生および水分を介した漏電等が起こりにくいようにすることによって、微細ミストを生成、噴霧し保鮮性を向上させる場合でも、菌、カビの繁殖防止した冷蔵庫を提供する。
【００２１】
また、貯蔵室内に電圧を印加する霧化装置を備えても、外郭ケースによって使用者の手が霧化先端部や電圧印加部へ触れることを防止するので、使用者の安全性を確保しながら微細ミストを噴霧することができる。
【００２２】
請求項２に記載の発明は、請求項１に記載の発明において、外郭ケースに設けられた冷気供給口は、前記外郭ケースに収納されている霧化先端部より下方に位置するものである。
【００２３】
これによって、外郭ケースの中でも特に霧化先端部よりも下方側においては、噴霧されたミストの中で比較的粒子径が大きく重いものや、外郭ケース等に衝突して貯蔵室内へ噴霧されなかったミストが付着することで、より水垢の発生および水分を介した漏電等も起こりやすい環境となるが、外郭ケースに収納されている霧化先端部より下方に冷気供給口を位置させたことで、高湿な下方側の冷気を霧化部へ流すことで積極的に霧化部への結露させることで、外郭ケース内へ水分が溜まることなく、十分な湿度を有した冷気が霧化部へ供給されることで、比較的高湿状態の空気が冷気供給口から霧化部に効率よく安定に供給され、霧化先端部を含めた霧化部には効率よく水滴が生成、付着する。
【００２４】
また、霧化部より上方部分の仕切り壁に付着した水滴が落滴もしく外郭ケースを伝って落滴してきた場合でも、冷気供給口から水分が外郭ケース外へ排出されることにより、水分が霧化部の電圧印加部等の電気接続部へ侵入することを防止できる。
【００２５】
請求項３に記載の発明は、請求項１または２に記載の発明において、外郭ケースの下面部分に開口部が設けられているものである。
【００２６】
これにより、静電霧化装置により結露した結露水が外郭ケースの下側に溜まった場合でも、この開口部より結露水を外郭ケース外へと排出することができる。すなわち、この開口部が冷気供給口としての機能だけでなく、落下結露水の水抜き穴としての機能を果たすことができるので、落下結露水が溜まることによる水垢の発生および結露水が電圧印加部へ侵入することを防ぐことができ、静電霧化装置の安全性を高めることができる。
【００２７】
請求項４に記載の発明は、請求項１から３のいずれか一項に記載の発明において、霧化部が、貯蔵室内の空気中の水分を結露させた結露水を用いてミスト噴霧を行うものである。
【００２８】
これにより、貯蔵室内の余剰な水蒸気から容易に、確実に霧化電極に結露させることができ、水供給装置等の複雑は装置が不要となり簡単な構成でミスト噴霧を行うことができる。また、比較的高湿状態の空気が冷気供給口から霧化部に効率よく安定に供給され、霧化部の先端を含めた霧化部には効率よく水滴が生成、付着する。
【００２９】
また、外郭ケース内に空気の出入り口が形成されるため、貯蔵室内の空気対流に影響されて霧化電極部にも空気流れが発生し、効率よく安定に霧化電極に貯蔵室内の空気中の水分（湿度）を供給でき、結露を促進させることができる。
【００３０】
以下、本発明の冷蔵庫の実施の形態について、図面を参照しながら説明するが、先に説明した実施の形態と同一構成については同一符号を付して、その詳細な説明は省略する。なお、この実施の形態によってこの発明が限定されるものではない。
【００３１】
（実施の形態１）
図１は本発明の実施の形態１における冷蔵庫の縦断面図である。図２は本発明の実施の形態１における冷蔵庫の野菜室近傍の正面図である。図３は図２のＡ−Ａ部の静電霧化装置近傍の詳細断面図である。
【００３２】
図において、冷蔵庫１００の断熱箱体１０１は主に鋼板を用いた外箱１０２とＡＢＳなどの樹脂で成型された内箱１０３で構成され、その内部には例えば硬質発泡ウレタンなどの発泡断熱材が充填、周囲と断熱され、複数の貯蔵室に区分されている。最上部に第一の貯蔵室としての冷蔵室１０４、その冷蔵室１０４の下部に第四の貯蔵室としての切換室１０５と第五の貯蔵室としての製氷室１０６が横並びに設けられ、その切換室１０５と製氷室１０６の下部に第二の貯蔵室としての野菜室１０７、そして最下部に第三の貯蔵室としての冷凍室１０８が配置される構成となっている。
【００３３】
冷蔵室１０４は冷蔵保存のために凍らない温度を下限に通常１℃〜５℃とし、野菜室１０７は冷蔵室１０４と同等もしくは若干高い温度設定の２℃〜７℃としている。冷凍室１０８は冷凍温度帯に設定されており、冷凍保存のために通常−２２℃〜−１５℃で設定されているが、冷凍保存状態の向上のために、例えば−３０℃や−２５℃の低温で設定されることもある。切換室１０５は、１℃〜５℃で設定される冷蔵、２℃〜７℃で設定される野菜、通常−２２℃〜−１５℃で設定される冷凍の温度帯以外に、冷蔵温度帯から冷凍温度帯の間で予め設定された温度帯に切り換えることができる。切換室１０５は製氷室１０６に並設された独立扉を備えた貯蔵室であり、引出し式の扉を備えることが多い。なお、本実施の形態では切換室１０５を冷蔵／冷凍の温度帯までを含めた貯蔵室としているが、冷蔵は冷蔵室１０４、野菜室１０７、冷凍は冷凍室１０８に委ねて、冷蔵と冷凍の中間の上記温度帯のみの切り換えに特化した貯蔵室としても構わない。また、特定の温度帯に固定された貯蔵室でもかまわない。製氷室１０６は、冷蔵室１０４内の貯水タンク（図示せず）から送られた水で室内上部に設けられた自動製氷機（図示せず）で氷を作り、室内下部に配置した貯氷容器（図示せず）に貯蔵する。
【００３４】
断熱箱体１０１の天面部は冷蔵庫の背面方向に向かって階段状に凹みを設けた形状であり、この階段状の凹部に機械室１０１ｂを形成して圧縮機１０９、水分除去を行うドライヤ（図示せず）等の冷凍サイクルの高圧側構成部品が収容されている。すなわち、圧縮機１０９を配設する機械室は、冷蔵室１０４内の最上部の後方領域に食い込んで形成されることになる。手が届きにくくデッドスペースとなっていた断熱箱体１０１の最上部の貯蔵室後方領域に機械室を設けて圧縮機１０９を配置することにより、従来の冷蔵庫で、使用者が使いやすい断熱箱体１０１の最下部にあった機械室のスペースを貯蔵室容量として有効に転化することができ、収納性や使い勝手を大きく改善することができる。なお、本実施の形態における、以下に述べる発明の要部に関する事項は、従来一般的であった断熱箱体１０１の最下部の貯蔵室後方領域に機械室を設けて圧縮機１０９を配置するタイプの冷蔵庫に適用しても構わない。
【００３５】
野菜室１０７と冷凍室１０８の背面には冷気を生成する冷却室１１０が設けられ、その間には、断熱性を有する各室への冷気の搬送風路と、各室と断熱区画するために構成された奥面仕切り壁１１１が構成されている。冷却室１１０内には、冷却器１１２が配設されており、冷却器１１２の上部空間には強制対流方式により冷却器１１２で冷却した冷気を冷蔵室１０４、切換室１０５、製氷室１０６、野菜室１０７、冷凍室１０８に送風する冷却ファン１１３が配置され、冷却器１１２の下部空間には冷却時に冷却器１１２やその周辺に付着する霜や氷を除霜するためのガラス管製のラジアントヒータ１１４が設けられ、さらにその下部には除霜時に生じる除霜水を受けるためのドレンパン１１５、その最深部から庫外に貫通したドレンチューブ１１６が構成され、その下流側の庫外に蒸発皿１１７が構成されている。
【００３６】
野菜室１０７には、野菜室１０７の引出し扉１１８に取り付けられたフレームに載置された下段収納容器１１９と、下段収納容器１１９に載置された上段収納容器１２０が配置されている。
【００３７】
引出し扉１１８が閉ざされた状態で主に上段収納容器１２０を略密閉するための蓋体１２２が野菜室上部の第一の仕切り壁１２３及び内箱１０３に保持されている。引出し扉１１８が閉ざされた状態で蓋体１２２と上段収納容器１２０の上面の左右辺、奥辺が密接し、上面の前辺は略密接している。さらに、上段収納容器１２０の背面の左右下辺と下段収納容器１１９の境界部は、上段収納容器１２０が稼働する上で接触しない範囲で食品収納部の湿気が逃げないよう隙を詰めている。
【００３８】
蓋体１２２と第一の仕切り壁１２３の間には、奥面仕切り壁１１１に構成された野菜室用吐出口１２４から吐出された冷気の風路が設けられている。また、下段収納容器１１９と第二の仕切り壁１２５との間にも空間が設けられ冷気風路を構成している。野菜室１０７の背面の奥面仕切り壁１１１の下部には、野菜室１０７内を冷却し熱交換された冷気が冷却器１１２に戻るための野菜室用吸込み口１２６が設けられている。
【００３９】
このように、野菜室１０７は、仕切り壁である第一の仕切り壁１２３、第二の仕切り壁１２５、奥面仕切り壁１１１によって、区画されており、この区画された野菜室１０７の貯蔵室空間に対してミストを噴霧する霧化装置が備えられている。
【００４０】
なお、本実施の形態における、以下に述べる発明の要部に関する事項は、従来一般的であった扉に取り付けられたフレームと内箱に設けられたレールにより開閉するタイプの冷蔵庫に適用しても構わない。
【００４１】
奥面仕切り壁１１１は、ＡＢＳなどの樹脂で構成された奥面仕切り部表面１５１と風路や冷却室１１０を隔離、断熱性を確保するための発泡スチロールなどで構成された断熱材１５２で構成されている。ここで、奥面仕切り壁１１１の貯蔵室内側の壁面の一部に他の箇所より低温になるように凹部を設け、その箇所に霧化装置である静電霧化装置１３１が、噴霧方向が貯蔵室空間へ向くように設置されている。
【００４２】
霧化装置である静電霧化装置１３１は主に霧化部１３９、電圧印加部１３３、外郭ケース１３７で構成され、外郭ケース１３７には、噴霧口１３２とそれとは別個に噴霧口１３２を設けた面と直交する外郭ケース１３７の下面部分の面に外郭ケース１３７内への冷気供給口である湿度供給口１３８が構成されており、霧化部１３９と電圧印加部１３３を内部に収納している。霧化部１３９は、ミスト噴霧が行われる霧化先端部を有するである霧化電極１３５が設置され、霧化電極１３５はアルミニウムやステンレスなどの良熱伝導部材である冷却ピン１３４に固定されている。
【００４３】
また、この冷気供給口である湿度供給口１３８は、湿度供給口１３８と結露を行う霧化先端部である霧化電極１３５とを結ぶ最短距離ｄ１に対して、湿度供給口１３８と噴霧口１３２とを結ぶ最短距離であるｄ２の方が短くなる箇所を有するように設けられている。
【００４４】
このように、霧化部１３９の霧化先端部を有する霧化電極１３５よりも下方側の外郭ケース１３７に冷気供給口が備えられている。
【００４５】
冷却ピン１３４が外郭ケース１３７に固定され、冷却ピン１３４自体は外郭から突起して構成されている。また、霧化電極１３５に対向している位置で貯蔵室側にドーナツ円盤状の対向電極１３６が、霧化電極１３５の先端と一定距離を保つように取り付けられ、その延長上に噴霧口１３２が構成されている。
【００４６】
さらに、霧化部１３９の近傍に電圧印加部１３３が構成され、高電圧を発生する電圧印加部１３３の負電位側が霧化電極１３５と、正電位側が対向電極１３６とそれぞれ電気的に接続されている。
【００４７】
電圧印加部１３３は、冷蔵庫本体の制御手段１４６と通信、制御され、冷蔵庫１００もしくは静電霧化装置１３１からの入力信号で高圧のＯＮ／ＯＦＦを行う。
【００４８】
なお、霧化装置である静電霧化装置１３１を固定している奥面仕切り表面１５１には、貯蔵室の温度調節をする、もしくは表面の結露を防止するためヒータ等の加熱手段１５４が奥面仕切り壁表面１５１と断熱材１５２の間に設置されている。
【００４９】
このように、霧化装置は、側壁の中でもヒータ等の加熱手段１５４が備えられている仕切り壁に備えられており、少なくとも霧化装置の下方側にも加熱手段１５４が配置されている。
【００５０】
以上のように構成された冷蔵庫について、以下その動作、作用を説明する。
【００５１】
まず、冷凍サイクルの動作について説明する。庫内の設定された温度に応じて制御基板（図示せず）からの信号により冷凍サイクルが動作して冷却運転が行われる。圧縮機１０９の動作により吐出された高温高圧の冷媒は、凝縮器（図示せず）である程度凝縮液化し、さらに冷蔵庫本体の側面や背面、また冷蔵庫本体の前面間口に配設された冷媒配管（図示せず）などを経由し冷蔵庫本体の結露を防止しながら凝縮液化し、キャピラリーチューブ（図示せず）に至る。その後、キャピラリーチューブでは圧縮機１０９への吸入管（図示せず）と熱交換しながら減圧されて低温低圧の液冷媒となって冷却器１１２に至る。ここで、低温低圧の液冷媒は、冷却ファン１１３の動作により搬送する冷凍室吐出風路１１４１などの各貯蔵室内の空気と熱交換され、冷却器１１２内の冷媒は蒸発気化する。この時、冷却室内で各貯蔵室を冷却するための冷気を生成する。低温の冷気は冷却ファン１１３から冷蔵室１０４、切換室１０５、製氷室１０６、野菜室１０７、冷凍室１０８に冷気を風路やダンパを用いて分流させ、それぞれの目的温度帯に冷却する。特に、野菜室１０７は、冷気の配分や加熱手段（図示せず）などのＯＮ／ＯＦＦ運転により２℃から７℃になるように調整され、一般的には庫内温度検知手段をもたないものが多い。
【００５２】
野菜室１０７は、冷蔵室１０４を冷却した後、その空気を冷却器１１２に循環させるための冷蔵室戻り風路１４０の途中に構成された野菜室用吐出口１２４から野菜室１０７に吐出し、上段収納容器１２０や下段収納容器１１９の外周に流し間接的に冷却し、その後、野菜室用吸込み口１２６から再び冷却器１１２に戻る。
【００５３】
奥面仕切り壁１１１の比較的高湿度環境である箇所の一部について、断熱材１５２が、他の箇所より壁厚が薄く、特に、冷却ピン１３４の後方の断熱材の厚みは例えば２ｍｍ〜１０ｍｍ程度で構成されている。これにより、奥面仕切り壁１１１は凹部が構成され、この箇所に静電霧化装置１３１が、噴霧方向が貯蔵室空間へ向くように取り付けられている。
【００５４】
冷却ピン背面にある冷凍室吐出風路１４１には、冷却システムの運転により冷却器１１２で生成し、冷却ファン１１３により−１５〜−２５℃程度の冷気が流れ、風路表面からの熱伝導で冷却ピン１３４が例えば０〜−６℃程度に冷却される。このとき、冷却ピン１３４は、良熱伝導部材であるため、冷熱を非常に伝えやすく、霧化電極も０〜−６℃程度に冷却される。
【００５５】
ここで、野菜室は２℃から７℃で、かつ野菜などからの蒸散により比較的高湿状態であるので、霧化電極１３５は露点以下となる。
【００５６】
そして、外郭ケース１３７に設けた冷気供給口である湿度供給口１３８から入った空気中の水分が結露し、この結露水が霧化部１３９でミストになった上で噴霧口１３２から噴霧されることによって外郭ケース１３７内において空気の出入り口が形成されるため貯蔵室内の空気対流に影響されて霧化電極１３５部を含めて空気流れが発生し、野菜などからの蒸散による比較的高湿状態の空気が湿度供給口１３８から霧化電極１３５に効率よく安定に供給され、先端を含め、霧化電極１３５には水滴が生成、付着する。
【００５７】
また、この冷気供給口である湿度供給口１３８は、湿度供給口１３８と結露を行う霧化先端部である霧化電極１３５とを結ぶ最短距離ｄ１に対して、湿度供給口１３８と噴霧口１３２とを結ぶ最短距離であるｄ２の方が短くなる箇所を有するように設けられているので、湿度供給口１３８から外郭ケース１３７内へ流入した冷気のうち、一部が結露を促進する為に霧化電極１３５周辺へと流れ込み、一部が霧化電極１３５を通らずに湿度供給口１３８から噴霧口１３２へショートカットする最も通気抵抗の少ない風路を通るので、これらのショートカットした風路を通った冷気によって、より外郭ケース１３７内に積極的に空気の流れを発生させることができ、外郭ケース１３７内に水分が溜まることなく、流れる冷気と共に循環させることが可能となる。
【００５８】
なお、このような霧化先端部である霧化電極１３５を通らずに湿度供給口１３８から噴霧口１３２へショートカットする最も通気抵抗の少ない風路を形成する際に、湿度供給口１３８と結露を行う霧化先端部である霧化電極１３５とを結ぶ最短距離ｄ１に対して、湿度供給口１３８と噴霧口１３２とを結ぶ最短距離であるｄ２の方が短くなる箇所を有するものとしたが、他の手段によって、最も通気抵抗の少ない風路を作ることも可能であり、同様の効果を有することができる。
【００５９】
またこのとき、湿度供給口１３８を貯蔵室底面側である外郭ケース１３７の下面部分に設けているため、霧化部１３９により結露した結露水が外郭ケース１３７の下側に溜まった場合でも、この開口部より結露水を外郭ケース外へと排出することができる。すなわち、この開口部が冷気供給口である湿度供給口としての機能だけでなく、落下結露水の水抜き穴としての機能を果たすことができるので、落下結露水が溜まることによる水垢の発生および結露水が電圧印加部へ侵入することを防ぐことができ、静電霧化装置１３１の安全性を高めることができる。
【００６０】
また、霧化装置および外郭ケース１３７は、湿度供給口１３８から高湿度の冷気を取り入れることができるように、図１に示すように主に噴霧を行う収納容器である下段収納容器１１９の上端部の直上部に湿度供給口１３８を備えることによって、収納容器からの高湿度の冷気が湿度供給口１３８へ流入しやすくなり、より効率よく結露水を生成し、ミスト噴霧を行うことができる。
【００６１】
また、霧化装置は、側壁の中でもヒータ等の加熱手段１５４が備えられている仕切り壁に備えられていることによって、他の側壁と比較して、加熱手段１５４によって、上昇気流が発生しやすい仕切り壁に霧化装置の霧化部を収納した外郭ケース１３７が備えられることになり、その下面側が冷気供給口として開口しているので、その上昇気流に乗ってより、冷気が外郭ケース内へ流入しやすくなり、さらに外郭ケース１３７内に積極的に空気の流れを発生させることができ、外郭ケース１３７内に水分が溜まることなく、流れる冷気と共に循環させ、また霧化部で結露してミストとして循環することが可能となる。
【００６２】
また、少なくとも霧化装置の下方側にも加熱手段１５４が配置されていることで、より確実に冷気供給口への上昇気流が発生することによって冷気が外郭ケース内へ流入しやすくなり、さらに外郭ケース１３７内に積極的に空気の流れを発生させることができる。
【００６３】
また、霧化装置および外郭ケース１３７は、湿度供給口１３８から高湿度の冷気を取り入れることができるように、図２に示すような貯蔵室の左右方向の中心に対して、冷気の出口である野菜室用吸込み口１２６側に霧化装置を配置している。これによって、収納容器からの高湿な冷気は、冷気の出口である野菜室用吸込み口１２６側に多く流れることから、貯蔵室の左右方向においては冷気の出口である冷気の出口である野菜室用吸込み口１２６側がより高湿度となる為、収納容器からの高湿度の冷気が湿度供給口１３８へ流入しやすくなり、より効率よく結露水を生成し、ミスト噴霧を行うことができる。
【００６４】
また、霧化装置周辺はミストを噴霧する為に高湿となりやすく、特に外郭ケース１３７内においては、水垢の発生および水分を介した漏電等も起こりやすい環境となるが、本実施の形態のように冷気供給口を備えることで、空気の出入り口が形成され、外郭ケース１３７内に積極的に空気の流れを発生させることができ、外郭ケース１３７内に水分が溜まることなく、流れる冷気と共に循環させることが可能となる。
【００６５】
また、外郭ケース１３７の中でも特に霧化部である霧化電極１３５よりも下方側においては、噴霧されたミストの中で比較的粒子径が大きく重いものや、外郭ケース等に衝突して貯蔵室内へ噴霧されなかったミストが付着することで、より水垢の発生および水分を介した漏電等も起こりやすい環境となるが、本実施の形態では、冷気供給口を水分の付着しやすい外郭ケース１３７の霧化部よりも下方側に備えたことで、高湿な下方側の冷気を霧化部へ流すことで積極的に霧化部への結露させることで、外郭ケース１３７内へ水分が溜まることなく、十分な湿度を有した冷気が霧化部へ供給されることで、比較的高湿状態の空気が湿度供給口１３８から霧化電極１３５に効率よく安定に供給され、霧化部の先端を含めた霧化電極１３５には水滴が生成、付着する。
【００６６】
さらに、本実施の形態においては、静電霧化装置１３１を用いていることにより、発生する微細ミストは粒子径も数ｎｍ〜数十ｎｍレベルの極めて小さく、高圧印加により霧化電極も除菌され、発生する微細ミストも噴霧口付近に付着して、水貯めを作ることがなく、また、酸化力の強いＯＨラジカル等やオゾンを含んだ微細ミストであるため、噴霧口付近の菌の繁殖を防止することが可能であり、水垢も防止できる。
【００６７】
また奥面仕切り壁１１１に付着した結露水が直接落滴した場合や外郭ケース１３７を伝って落滴した場合でも湿度供給口１３８から外郭ケース１３７の外部へと排出されるので電圧印加部１３３へ侵入することを防止できる。
【００６８】
このように、野菜室１０７内の水蒸気から容易に、かつ確実に霧化電極１３５に結露させることができ、水供給装置等の複雑は装置が不要となり簡単な構成でミスト噴霧を行うことができる。
【００６９】
また、静電霧化装置でミスト噴霧を行うことで微細ミストが生成され、霧化されて噴霧された微細ミストが野菜等の青果物の表面に均一に付着し、青果物からの蒸散を抑制し、保鮮性を向上させることができる。
【００７０】
また、霧化電極１３５と電圧印加部１３３を外郭ケース１３７内に収納することで、使用者の手が霧化電極１３５や電圧印加部１３３へ触れることを防止するので、貯蔵室内で高電圧を印加しても使用者の安全性を確保しながら微細ミストを噴霧することができる。
【００７１】
水滴が付着した霧化電極１３５に負電圧、対向電極１３６を正電圧側として、電圧印加部１３３によりこの電極間に高電圧（例えば４〜１０ｋＶ）を印加させる。このとき電極間でコロナ放電が起こり、霧化電極１３５の先端の水滴が、静電エネルギにより微細化され、さらに液滴が帯電しているためレイリー分裂により数ｎｍレベルの目視できない電荷をもったナノレベルの微細ミストと、それに付随してオゾンやＯＨラジカルなどが発生する。電極間に印加する電圧は、４〜１０ｋＶと非常に高電圧であるが、そのときの放電電流値は数μＡレベルであり、入力としては０．５〜１．５Ｗと非常に低入力である。
【００７２】
霧化電極１３５から微細ミストが噴霧されるとき、イオン風が発生する。このときも噴霧口１３２と別個に設けた湿度供給口１３８より、新たに高湿な空気が霧化電極１３５部に流入するため、連続して噴霧することができる。
【００７３】
発生した微細ミストは、下段収納容器１１９内に噴霧されるが非常に小さい微粒子のため拡散性が強く、上段収納容器１２０にも微細ミストは到達する。噴霧される微細ミストは、高圧放電で生成されたため、マイナスの電荷を帯びている。野菜室１０７内には青果物である野菜の中でも緑の菜っ葉ものや果物等も保存されており、これらの青果物は蒸散あるいは保存中の蒸散によってより萎れやすいものである。野菜室内に保存されている野菜や果物の中には、通常、購入帰路時での蒸散あるいは保存中の蒸散によってやや萎れかけた状態のものが含まれており、プラスの電荷をもつ。よって、霧化されたミストは、野菜の表面に集まりやすく、これにより保鮮性が向上する。
【００７４】
また、野菜表面に付着したナノレベルの微細ミストは、ＯＨラジカルと微量ではあるがオゾンなどを多く含んでおり、殺菌、抗菌、除菌などに効果がある他、酸化分解による農薬除去や抗酸化によるビタミンＣ量などの栄養素の増加を野菜に促す。
【００７５】
ここで、霧化電極１３５に水がないときは、放電距離が離れ、空気の絶縁層を破壊することができず、放電現象がおこらない。これにより霧化電極と対向電極間に電流がながれない。この現象を冷蔵庫１００の制御手段１４６で検知することにより電圧印加部１３３の高圧をＯＮ／ＯＦＦすることもできる。
【００７６】
以上のように、本実施の形態においては、断熱区画された貯蔵室（野菜室１０７）と、貯蔵室（野菜室１０７）内にミストを噴霧させる静電霧化装置１３１を備え、霧化部１３９には高電圧を発生する電圧印加部１３３に電気的に接続させる霧化電極１３５と、霧化電極１３５に対向する位置に配された対向電極１３６と、霧化電極１３５を露点以下にするための冷却手段を構成し、霧化電極１３５に空気中の水分を結露させて貯蔵室（野菜室１０７）にミストとして噴霧することにより、貯蔵室（野菜室１０７）内の余剰な水蒸気から容易に、確実に霧化電極１３５に結露させることができ、対向電極１３６との間の高電圧のコロナ放電によってナノレベルの微細ミストが生成され、霧化されて噴霧された微細ミストが野菜等の青果物の表面に均一に付着し、青果物からの蒸散を抑制し、保鮮性を向上させることができる。また、青果物表面の細胞間隙や気孔等から、組織内に浸透し、萎んだ細胞内に水分が供給され、シャキッとした状態に復帰させることができる。
【００７７】
また、ミスト発生時に同時に発生するオゾンやＯＨラジカルにより脱臭、食品表面の有害物質除去、防汚などの効果を高めることができる。
【００７８】
また、噴霧されたミストは直接、野菜容器（上段収納容器１２０、下段収納容器１１９）内の食品に噴霧することができ、ミストと野菜の電位を利用して野菜表面にミストを付着させることができるので、保鮮の効率がよい。
【００７９】
さらに、霧化電極１３５に貯蔵室（野菜室１０７）内の余剰な水蒸気を結露させ、水滴を付着させ、ミストを噴霧することから貯水タンクなどが不要であり、また、ポンプやキャピラリなどの送水手段も使用していないので、安価に構成することが可能となる。
【００８０】
さらに、水道水ではなく結露水を用いるためミネラル成分や不純物がないため、保水材を用いたときの劣化や目詰まりによる保水性の劣化を防ぐことができる。
【００８１】
さらに、超音波振動による超音波霧化ではないので、貯水タンクが不必要であり、また、入力も小さいので庫内の温度影響が少ない。
【００８２】
さらに、電圧印加部１３３が収納されている部分についても奥面仕切り壁１１１に埋め込まれて、冷却されているので基板の温度上昇を抑えることができる。これにより、貯蔵室（野菜室１０７）内の温度影響を少なくすることができる。
【００８３】
また、本実施の形態では、各貯蔵室を冷却するための冷却器１１２と、冷却器１１２と貯蔵室を断熱区画するための奥面仕切り壁１１１を備え、静電霧化装置１３１を奥面仕切り壁１１１に取り付け、静電霧化装置１３１の外郭ケース１３７に噴霧口１３２とは別個に霧化電極１３５への湿度供給口（冷気供給口）１３８を、噴霧口１３２を設けた面と垂直する外郭ケース１３７の底面側の面に備えることにより、空気の出入り口を形成するため貯蔵室（野菜室１０７）内の空気対流に影響されて霧化電極１３５部にも空気流れが発生し、効率よく安定に霧化電極１３５に貯蔵室（野菜室１０７）内の空気中の水分（湿度）を供給でき、結露を促進させることができると同時に、湿度供給口（冷気供給口）１３８を外郭ケース１３７の底面側の面に設けていることで、奥面仕切り壁１１１に付着した結露水が落滴して湿度供給口（冷気供給口）１３８から電圧印加部１３３へ侵入することを防止できるので安全性を向上することができる。
【００８４】
また、霧化電極１３５から微細ミストが噴霧されるとき、イオン風が発生するが、このとき、湿度供給口（冷気供給口）１３８より、新たに空気が霧化電極１３５部に流入するため、噴霧口１３２付近で循環流（ショートサーキット）が発生することなく連続して安定して噴霧することができる。
【００８５】
また、貯蔵室（野菜室１０７）内の間隙に設置できるので収納容積を減少することがなく、さらに、奥面に取り付けられていることで容易に人の手に触れることができないので安全性も向上する。
【００８６】
なお、微細ミスト発生時にオゾンも発生する。静電霧化装置１３１のＯＮ・ＯＦＦ運転により、貯蔵室（野菜室１０７）内のオゾン濃度を調整することが出来る。オゾン濃度を適度に調整することにより、オゾン過多による野菜の黄化などの劣化を防止し、かつ、野菜表面の殺菌、抗菌作用を高めることが出来る。
【００８７】
なお、本実施の形態では、冷却ピン１３４を冷却するための風路は、冷凍室吐出風路１４１としたが、製氷室１０６の吐出風路や、冷凍室戻り風路などの低温風路でもかまわない。これにより、静電霧化装置１３１の設置可能場所が拡大する。
【００８８】
なお、本実施の形態では、静電霧化装置１３１の霧化電極１３５周囲には、保水材を設けなかったが、保水材が配設してもよい。これにより、霧化電極１３５近傍で生成された結露水を霧化電極１３５周囲に保持することができるので霧化電極１３５に適時に供給することができる。
【００８９】
なお、本実施の形態において、静電霧化装置１３１を設ける冷蔵庫１００の貯蔵室を、野菜室１０７としたが、冷蔵室１０４や切換室１０５などの他の温度帯の貯蔵室でもよく、この場合、様々な用途に展開が可能となる。
【００９０】
なお、本実施の形態では、霧化電極１３５を冷却する手段として、冷却器１１２で生成した冷気流れによる風路１４１表面からの熱伝導としたが、ペルチェ効果を利用したペルチェ素子を冷却ピン１３４に直接配置して冷却しても構わない。この場合、ペルチェ素子への印加電圧の調整で微妙な温度制御ができるので、先端の最適な温度調整が可能になる。
【００９１】
なお、本実施の形態では、噴霧口１３２とは別個に噴霧口１３２を設けた面と垂直する外郭ケース１３７の下面（底面）部分に湿度供給口（冷気供給口）１３８を設けたが、この噴霧口１３２として、外郭ケース１３７の下面部分のほぼ全体を開口しても良く、その場合には外郭ケース１３７の下方側から多量の空気を外郭ケース１３７内へ導入することができるので、外郭ケース１３７内での空気抵抗を低減することができ、より効率よく霧化部での結露を促すことができる。また、下面部分のほぼ全体が開口していることで、結露水が外郭ケース１３７に溜まることを防止することができ、結露水が直接落滴した場合や外郭ケース１３７を伝って落滴した場合でも湿度供給口（冷気供給口）１３８から外郭ケース１３７の外部へと速やかに排出されるので電圧印加部１３３へ侵入することを防止し、静電霧化装置１３１の安全性をより向上させることができる。
【００９２】
なお、このように、外郭ケース１３７の底面に備えた湿度供給口（冷気供給口）１３８に水抜き穴としての機能を持たす際には、外郭ケース１３７の底面部の中で最も低い面に湿度供給口（冷気供給口）１３８を設けることで、外郭ケース１３７内に水分が溜まることなく、重力によって速やかに排出されるので、より望ましい。また、よりスムーズに水分の排出が行えるように外郭ケース１３７の底面に下方への傾斜を持たせ、底面の中で最も低い面である最底面部に水抜き穴としての機能を持たす湿度供給口（冷気供給口）１３８を備えると良い。
【００９３】
なお、本実施の形態においては、霧化装置として静電霧化装置１３１を例に挙げて詳細な説明を行ったが、霧化装置は静電霧化装置１３１に限らず、超音波霧化装置やエジェクタ霧化装置であっても、それらの霧化装置のミスト噴霧が行われる霧化先端部を収納する外郭ケース１３７に対して同様の技術が適用でき、特に霧化装置への水分補給方法が貯蔵室内の空気中の水分を霧化部１３９に結露させた結露水を用いてミスト噴霧を行う場合においては、冷気供給口を湿度供給口１３８として効果的に結露を行う為に高湿度の冷気を外郭ケース１３７内へ取り込む為の技術については、同様の技術を適用することが可能である。
【００９４】
なお、本実施の形態においては、冷気供給口として湿度供給口１３８を例に挙げて詳細な説明を行ったが、このような冷気供給口として主に高湿の冷気を取り入れる目的の湿度供給口１３８が有効であるのは、本実施の形態で説明したような貯蔵室（野菜室１０７）内の空気中の水分を霧化部１３９に結露させた結露水を用いてミスト噴霧を行う場合であるが、同様の構成で、例えば貯水タンクに保持された貯留水を静電霧化装置１３１へ供給してミスト噴霧を行うといった場合であっても、本実施の形態で説明したような静電霧化装置１３１周辺がミストを噴霧する為に高湿となりやすく、特に外郭ケース１３７内においては、水垢の発生および水分を介した漏電等も起こりやすい環境となるといった課題は共通であるので、静電霧化装置１３１への水分補給方法は結露方式に限らず、貯水タンクに保持された貯留水を静電霧化装置１３１へ供給する水分補給方法であっても、同様の技術が適用できる。
【００９５】
（実施の形態２）
図４は本発明の実施の形態２における冷蔵庫の図２のＢ−Ｂ部の静電霧化装置近傍の詳細断面図である。
【００９６】
本実施の形態においては、実施の形態１で説明した部分と異なる部分を中心に詳細な説明を行い、実施の形態１と同一の構成および効果が適用できる部分については、詳細な説明を省略する。
【００９７】
図４に示すように、静電霧化装置１３１の外郭ケース１３７には、噴霧口１３２とそれとは別個に噴霧口１３２を設けた面と垂直する外郭ケース１３７の貯蔵室側面側の面に、障害物が存在しない下段収納容器１１９と上段収納容器１２０の間の空間に位置するように冷気供給口である湿度供給口１３８が構成されている。
【００９８】
以上のように構成された冷蔵庫について、以下その動作・作用を説明する。なお、冷却ピン１３４の冷却手段およびミスト噴霧の動作・作用については実施の形態１と同様であるため説明は省略する。
【００９９】
外郭ケース１３７に設けた湿度供給口１３８から入った空気が霧化部１３９でミストになった上で噴霧口１３２から噴霧されることで空気の出入り口を形成するため貯蔵室内の空気対流に影響されて霧化電極１３５部を含めて外郭ケース１３７内に空気流れが発生し、野菜などからの蒸散による比較的高湿な状態の空気が湿度供給口１３８から霧化電極１３５に効率よく安定に供給され、先端を含め、霧化電極１３５には水滴が生成、付着する。
【０１００】
以上のように、本実施の形態においては、各貯蔵室（野菜室１０７）を冷却するための冷却器１１２と、冷却器１１２と貯蔵室を断熱区画するための奥面仕切り壁１１１を備え、静電霧化装置１３１を奥面仕切り壁１１１に取り付け、静電霧化装置１３１の外郭ケース１３７に噴霧口１３２とは別個に霧化電極１３５への湿度供給口（冷気供給口）１３８を、噴霧口１３２を設けた面と垂直する外郭ケース１３７の側面側の面に、障害物が存在しない下段収納容器１１９と上段収納容器１２０の間の空間に位置するように備えることにより、空気の出入り口を形成するため貯蔵室（野菜室１０７）内の空気対流に影響されて霧化電極１３５部にも空気流れが発生し、効率よく安定に霧化電極１３５に貯蔵室（野菜室１０７）内の空気中の水分（湿度）を供給でき、結露を促進させることができる。
【０１０１】
また、特にミスト噴霧が行われる為に外郭ケース１３７内においては、水垢の発生および水分を介した漏電等も起こりやすい環境となるが、本実施の形態のように冷気供給口を備えることで、空気の出入り口が形成され、外郭ケース１３７内に積極的に空気の流れを発生させることができ、外郭ケース１３７内に水分が溜まることなく、流れる冷気と共に循環させることが可能となる。
【０１０２】
なお、本実施の形態では、冷気供給口である湿度供給口１３８を噴霧口１３２とは別個に噴霧口１３２を設けた面と垂直する外郭ケース１３７の側面部分に設けたが、冷気供給口として、外郭ケース１３７の側面の底面部を開口するとなお良く、その場合には外郭ケース１３７の下方側から多量の空気を外郭ケース１３７内へ導入することができるので、外郭ケース１３７内での空気抵抗を低減することができ、より効率よく霧化部１３９での結露を促すことができる。また、側面の底面部分が開口していることで、結露水が外郭ケース１３７に溜まることを防止する水抜き穴としての機能を果たすことができ、結露水が直接落滴した場合や外郭ケース１３７を伝って落滴した場合でも湿度供給口１３８から外郭ケース１３７の外部へと速やかに排出されるので電圧印加部１３３へ侵入することを防止し、静電霧化装置の安全性をより向上させることができる。なお、このように、外郭ケース１３７の側面に備えた冷気供給口に水抜き穴としての機能を持たす際には、外郭ケース１３７の底面部の中で最も低い面の延長上に冷気供給口を設けることで、外郭ケース１３７内に水分が溜まることなく、重力によって速やかに排出されるので、より望ましい。
【０１０３】
（実施の形態３）
図５は本発明の実施の形態３における冷蔵庫の野菜室近傍の縦断面図である。
【０１０４】
本実施の形態においては、実施の形態１および２で説明した部分と異なる部分を中心に詳細な説明を行い、実施の形態１および２と同一の構成および効果が適用できる部分については、詳細な説明を省略する。
【０１０５】
図５に示すように、野菜室１０７と製氷室１０６の温度帯を区切るために断熱性を確保した第一の仕切り壁１２３に静電霧化装置１３１は噴霧方向が貯蔵室空間へ向くように組み込まれており、特に霧化部である冷却ピン１３４部については、その断熱材が凹形状になっている。
【０１０６】
静電霧化装置１３１の外郭ケース１３７には、噴霧口１３２とそれとは別個に噴霧口１３２を設けた面と垂直する外郭ケース１３７の貯蔵室奥面側の面に湿度供給口１３８が構成されている。
【０１０７】
以上のように構成された冷蔵庫について、以下その動作・作用を説明する。
【０１０８】
静電霧化装置１３１が設置されている第一の仕切り壁１２３の厚さは、霧化電極１３５が固定されている冷却ピン１３４を冷却するための冷却能力が必要であり、静電霧化装置１３１が備えられている箇所の壁厚は他の部分より薄く構成されている。そのため、比較的低温である製氷室からの熱伝導により冷却ピン１３４を冷却し、霧化電極１３５を冷却することができ、霧化電極１３５の先端温度は露点以下になる。
【０１０９】
ここでは図示しないが庫内に庫内温度検知部や庫内湿度検知部などを設置することにより、あらかじめ決められた演算により厳密に庫内環境下の変化に応じて露点を割り出すことが出来る。
【０１１０】
そして、外郭ケース１３７に設けた噴霧口１３２と湿度供給口１３８が空気の出入り口を形成するため貯蔵室内の空気対流に影響されて霧化電極１３５部を含めて空気流れが発生し、野菜などからの蒸散による比較的高湿状態の空気が湿度供給口１３８から霧化電極１３５に効率よく安定に供給され、先端を含め、霧化電極１３５には水滴が生成、付着する。
【０１１１】
この状態で霧化電極１３５を負電圧側とし、対向電極１３６を正電圧側として、電圧印加部１３３によりこの電極間に高電圧（例えば７．５ｋＶ）を印加させる。このとき、電極間で空気絶縁層が破壊されコロナ放電が起こり、霧化電極１３５の水が電極先端から霧化し、目視できない１μｍ未満の電荷をもったナノレベルの微細ミストと、それに付随するオゾンやＯＨラジカルなどが発生する。
【０１１２】
発生した微細ミストは、野菜容器内に噴霧される。静電霧化装置１３１から噴霧される微細ミストは、マイナスの電荷を帯びている。一方、野菜室内には青果物である野菜が収納されており、その中には緑の菜っ葉ものや果物等も保存されている。これらの青果物は、通常、購入帰路時での蒸散あるいは保存中の蒸散によってやや萎れかけた状態で収納されていることが多い。これらの青果物は通常、プラスの電荷に帯電されており、噴霧されたマイナスの電荷を持った微細ミストは、野菜表面に集まりやすい。よって、噴霧された微細ミストは野菜室内を再び高湿にすると同時に青果物の表面に付着し、青果物からの蒸散を抑制し、保鮮性を向上させる。また、野菜や果物の細胞の隙間から組織内に浸透し、水分が蒸散して、萎んだ細胞内に再び水分が供給され、細胞の膨圧によって萎れが解消され、シャキッとした状態に復帰する。
【０１１３】
また、発生した微細ミストは、オゾンやＯＨラジカルなどを保持しており、これらは強い酸化力を保持する。そのため、発生した微細ミストが野菜室内の脱臭や野菜表面を抗菌、殺菌することが出来ると同時に、野菜表面に付着する農薬やワックスなどの有害物質を酸化分解・除去することが出来る。
【０１１４】
現在、冷凍サイクルの冷媒としては、地球環境保全の観点から地球温暖化係数が小さい可燃性冷媒であるイソブタンが使用されているものが主流になっている。
【０１１５】
この、炭化水素であるイソブタンは空気と比較して常温、大気圧下で約２倍の比重である（２．０４、３００Ｋにおいて）。
【０１１６】
仮に、圧縮機の停止時に冷凍システムから可燃性冷媒であるイソブタンが漏洩した場合には、空気よりも重いので、下方に漏洩することになる。このとき、奥面の仕切り壁１１１より、庫内へ冷媒が漏洩する可能性がある。特に、冷媒の滞留量が多い冷却器１１２から漏洩する場合には、漏洩量が多くなる可能性があるが、静電霧化装置１３１を具備する野菜室１０７は、冷却器１１２より上方に設置されているため、漏洩しても野菜室には漏洩することがない。
【０１１７】
また、仮に野菜室１０７に漏洩したとしても、冷媒は空気より重いため貯蔵室下部に滞留する。よって、静電霧化装置１３１が貯蔵室天面に設置されているため、静電霧化装置１３１付近が可燃濃度になることは極めて低い。
【０１１８】
以上のように、本実施の形態においては、貯蔵室（野菜室１０７）を区画するための仕切り壁１２３と、貯蔵室（野菜室１０７）の天面側には低温貯蔵室（製氷室１０６）が備えられ、冷凍室１０８や製氷室１０６のような冷凍温度帯の貯蔵室が上部にある場合、それらを仕切る天面の仕切り壁１２３に静電霧化装置１３１を設けることで、特別な冷却装置が不必要で、また、天面から噴霧できるので収納容器（下段収納容器１１９、上段収納容器１２０）全体に拡散させ易い。
【０１１９】
また、静電霧化装置１３１の外郭ケース１３７に噴霧口１３２とは別個に霧化電極１３５への湿度供給口（冷気供給口）１３８を、噴霧口１３２を設けた面と垂直する外郭ケース１３７の奥面側の面に備えることにより、空気の出入り口を形成するため貯蔵室（野菜室１０７）内の空気対流に影響されて霧化電極１３５部にも空気流れが発生し、効率よく安定に霧化電極１３５に貯蔵室（野菜室１０７）内の空気中の水分（湿度）を供給でき、結露を促進させることができると同時に、湿度供給口（冷気供給口）１３８を外郭ケース１３７の奥面側の面に設けていることで、湿度供給口（冷気供給口）１３８から電圧印加部１３３へ人の手が触れることを防止できるので、安全性を向上させることができる。
【０１２０】
また、特にミスト噴霧が行われる為に外郭ケース１３７内においては、水垢の発生および水分を介した漏電等も起こりやすい環境となるが、本実施の形態のように冷気供給口を備えることで、空気の出入り口が形成され、外郭ケース１３７内に積極的に空気の流れを発生させることができ、外郭ケース１３７内に水分が溜まることなく、流れる冷気と共に循環させることが可能となる。
【０１２１】
さらに、本実施の形態においては、底面部分が噴霧口１３２として開口していることで、この噴霧口１３２が、結露水が外郭ケース１３７に溜まることを防止する水抜き穴としての機能を果たすことができ、結露水が直接落滴した場合や外郭ケース１３７を伝って落滴した場合でも噴霧口１３２から外郭ケース１３７の外部へと速やかに排出されるので電圧印加部１３３へ侵入することを防止し、静電霧化装置の安全性をより向上させることができる。なお、このように、外郭ケース１３７の底面に備えた噴霧口１３２に水抜き穴としての機能を持たす際には、外郭ケース１３７の底面部の中で最も低い面に噴霧口１３２を設けることで、外郭ケース１３７内に水分が溜まることなく、重力によって速やかに排出されるので、より望ましい。
【０１２２】
また、霧化電極１３５と電圧印加部１３３を外郭ケース１３７内に収納することで、使用者の手が霧化電極１３５や電圧印加部１３３へ触れることを防止するので、貯蔵室（野菜室１０７）内で高電圧を印加しても使用者の安全性を確保しながら微細ミストを噴霧することができる。
【０１２３】
さらに、霧化部１３９および冷却ピン１３４を凹形状の部分に備えているので、貯蔵室（野菜室１０７）内への出っ張りが少なく、より、使用者の手が霧化電極１３５や電圧印加部１３３へ触れにくくするので、貯蔵室（野菜室１０７）内で高電圧を印加しても使用者の安全性をさらに高めることができる。さらに、天面側の奥面側に外郭ケース１３７を備えているので、より安全性を向上させることができる。
【０１２４】
また、天面から噴霧できるので収納容器（下段収納容器１１９、上段収納容器１２０）全体にミストを拡散させやすい。
【０１２５】
また、本実施の形態の霧化部１３９は静電霧化方式によってミストを生成するものであり、高電圧等の電気エネルギを使って水滴を分裂させ、細分化することによって微細ミストを発生させる。発生したミストは電荷を帯びている為、そのミストに野菜や果物等の付着させたい物と逆の電荷を持たすことによって、例えばプラスの電荷を持つ野菜に対してマイナスの電荷を帯びたミストを噴霧することにより、野菜や果物への付着力が向上するため、より均一に野菜表面にミストが付着するとともに、電荷を帯びていないタイプのミストと比較してミストの付着率をより向上させることが出来る。また、噴霧された微細ミストは直接、野菜容器（下段収納容器１１９、上段収納容器１２０）内の食品に噴霧することができ、微細ミストと野菜の電位を利用して野菜表面に微細ミストを付着させることが出来るので、保鮮性を効率よく向上させることが出来る。
【０１２６】
さらに、本実施の形態の補給水は、外部から供給する水道水ではなく結露水を用いる。そのためミネラル成分や不純物がなく、霧化電極１３５先端の劣化や目詰まりによる保水性の劣化を防ぐことが出来る。
【０１２７】
さらに、本実施の形態のミストはラジカルを含んでいることにより野菜表面に付着する農薬やワックスなどを極めて少ない水量で分解・除去出来るので節水ができ、かつ低入力化が出来る。
【０１２８】
また、静電霧化装置１３１を蒸発器（冷却器１１２）より上方に配置していることから、イソブタンやプロパンなどの可燃性冷媒を用いて冷凍サイクルを構成した場合であって、かつ、冷媒が漏洩した場合も、空気より重いため冷媒が野菜室１０７に充満することはないので安全である。
【０１２９】
また、野菜室１０７内においても静電霧化部１３９を貯蔵室（野菜室１０７）の上方に設置しているので、冷媒が漏洩しても、貯蔵室（野菜室１０７）の下部に滞留するので着火することはない。
【０１３０】
なお、貯蔵室（野菜室１０７）内は冷媒配管等に直接面している部分がないので、冷媒が漏洩することはない。よって、可燃性冷媒に着火することはない。
【産業上の利用可能性】
【０１３１】
以上のように、本発明にかかる冷蔵庫は、使用者の安全性を確保した上で、野菜等の青果物の表面に均一に微細ミストを付着させて保鮮性を高めた上で、水垢の発生および水分を介した漏電等が起こりにくいようにすることができるので、家庭用又は業務用冷蔵庫もしくは野菜専用庫に対して実施することはもちろん、野菜などの食品低温流通、倉庫などの用途にも適用できる。
【図面の簡単な説明】
【０１３２】
【図１】本発明の実施の形態１における冷蔵庫の縦断面図
【図２】本発明の実施の形態１における冷蔵庫の野菜室近傍の正面図
【図３】本発明の実施の形態１における冷蔵庫の図２のＡ−Ａ部の静電霧化装置近傍の詳細断面図
【図４】本発明の実施の形態２における冷蔵庫の図２のＢ−Ｂ部の静電霧化装置近傍の詳細断面図
【図５】本発明の実施の形態３における冷蔵庫の野菜室近傍の縦断面図
【図６】従来の冷蔵庫の超音波霧化装置近傍の縦断面図
【図７】従来の冷蔵庫の超音波霧化装置の要部を示す拡大斜視図
【符号の説明】
【０１３３】
１００  冷蔵庫
１０７  野菜室（貯蔵室）
１３１  静電霧化装置
１３２  噴霧口
１３７  外郭ケース
１３８  湿度供給口（冷気供給口）
１３９  霧化部
【図１】
2008292128.tif 000003
【図２】
2008292128.tif 000004
【図３】
2008292128.tif 000005
【図４】
2008292128.tif 000006
【図５】
2008292128.tif 000007
【図６】
2008292128.tif 000008
【図７】
2008292128.tif 000009
【手続補正書】
【提出日】平成20年4月7日(2008.4.7)
【手続補正１】
【補正対象書類名】特許請求の範囲
【補正対象項目名】全文
【補正方法】変更
【補正の内容】
【特許請求の範囲】
【請求項１】
断熱区画された貯蔵室と、前記貯蔵室内にミストを噴霧させる霧化装置と、前記霧化装置に備えられたミスト噴霧を行う霧化先端部を有する霧化部と、前記霧化先端部を収納する外郭ケースとを有し、前記外郭ケースには、ミストが通過する噴霧口と、前記噴霧口とは別個に冷気供給口を設け、前記噴霧口もしくは前記冷気供給口のいずれかの開口部は前記外郭ケースの上面以外の面に設けられるとともに少なくとも前記外郭ケースの下面部分に設けられることで前記外郭ケースの下面側に落下結露水が溜まった場合でも、前記落下結露水を外郭ケース外へと排出する水抜き穴としての機能を有する冷蔵庫。
【請求項２】
外郭ケースに設けられた冷気供給口は、前記外郭ケースに収納されている霧化先端部より下方に位置する請求項１に記載の冷蔵庫。
【請求項３】
外郭ケースの下面部分に開口部が設けられている請求項１または２に記載の冷蔵庫。
【請求項４】
霧化部は、貯蔵室内の空気中の水分を結露させた結露水を用いてミスト噴霧を行う請求項１から３のいずれか一項に記載の冷蔵庫。
【手続補正２】
【補正対象書類名】明細書
【補正対象項目名】００１９
【補正方法】変更
【補正の内容】
【００１９】
請求項１に記載の発明は、断熱区画された貯蔵室と、前記貯蔵室内にミストを噴霧させる霧化装置と、前記霧化装置に備えられたミスト噴霧を行う霧化先端部を有する霧化部と、前記霧化先端部を収納する外郭ケースとを有し、前記外郭ケースには、ミストが通過する噴霧口と、前記噴霧口とは別個に冷気供給口を設け、前記噴霧口もしくは前記冷気供給口のいずれかの開口部は前記外郭ケースの上面以外の面に設けられるとともに少なくとも前記外郭ケースの下面部分に設けられることで前記外郭ケースの下面側に落下結露水が溜まった場合でも、前記落下結露水を外郭ケース外へと排出する水抜き穴としての機能を有するものである。
【手続補正３】
【補正対象書類名】明細書
【補正対象項目名】００２０
【補正方法】変更
【補正の内容】
【００２０】
これによって、霧化装置周辺がミストを噴霧する為に高湿となりやすく、特にミストの噴き出し口周辺である外郭ケース内においては、水垢の発生や菌・カビの繁殖、および水分を介した漏電等も起こりやすい環境となる場合であっても、外郭ケースに噴霧口とは別の冷気供給口を備えることで、空気の出入り口が形成され、外郭ケース内に積極的に空気の流れを発生させることができ、外郭ケース内に水分が溜まることなく、流れる冷気と共に循環させることが可能となることで、水垢の発生および水分を介した漏電等が起こりにくいようにすることによって、微細ミストを生成、噴霧し保鮮性を向上させる場合でも、菌、カビの繁殖防止した冷蔵庫を提供する。
また、静電霧化装置により結露した結露水が外郭ケースの下側に溜まった場合でも、仮面側の開口部より結露水を外郭ケース外へと排出することができる。すなわち、この開口部が冷気供給口もしくは噴霧口としての機能だけでなく、落下結露水の水抜き穴としての機能を果たすことができるので、落下結露水が溜まることによる水垢の発生および結露水が電圧印加部へ侵入することを防ぐことができ、静電霧化装置の安全性を高めることができる。